(57)【要約】【課題】小型化に有利な洗浄装置を提供する。【解決手段】洗浄装置１Ａは、泡沫貯留部３と、水流ポンプ７と、水流ポンプ７の吸込口と泡沫貯留部３とを接続する吸込側流路６ａと、水流ポンプ７の吐出口と泡沫貯留部３とを接続する吐出側流路６ｂとを有する循環流路６と、泡沫貯留部３に供給するための水を貯留する水貯留部２０と、泡沫貯留部３に供給するための洗剤を貯留する洗剤貯留部２と、水貯留部２０から供給された水と洗剤貯留部２から供給された洗剤とが混合した洗剤水に気体を混合することにより気泡を生成する気泡生成装置４と、泡沫貯留部３内に溜まった泡沫を外部へ吐出する吐出部１０と、を備え、洗剤貯留部２と水貯留部２０との少なくとも一方が吸込側流路６ａに接続されている。【選択図】図１
2020065643.tif 000002
【特許請求の範囲】
【請求項１】
泡沫貯留部と、
水流ポンプと、
前記水流ポンプの吸込口と前記泡沫貯留部とを接続する吸込側流路と、前記水流ポンプの吐出口と前記泡沫貯留部とを接続する吐出側流路とを有する循環流路と、
前記泡沫貯留部に供給するための水を貯留する水貯留部と、
前記泡沫貯留部に供給するための洗剤を貯留する洗剤貯留部と、
前記水貯留部から供給された水と前記洗剤貯留部から供給された洗剤とが混合した洗剤水に気体を混合することにより気泡を生成する気泡生成手段と、
前記泡沫貯留部内に溜まった泡沫を外部へ吐出する吐出部と、
を備え、
前記洗剤貯留部と前記水貯留部との少なくとも一方が前記吸込側流路に接続されている洗浄装置。
【請求項２】
前記洗剤貯留部が前記吸込側流路に接続されており、
前記洗剤貯留部から供給される洗剤が前記吸込側流路に合流する合流部と、前記吸込口との間の流路長を変更可能な流路長可変手段を備える請求項１に記載の洗浄装置。
【請求項３】
前記水貯留部が前記吸込側流路に接続されており、
前記水貯留部から供給される水が前記吸込側流路に合流する合流部と、前記吸込口との間の流路長を変更可能な流路長可変手段を備える請求項１に記載の洗浄装置。
【請求項４】
前記吸込側流路から分岐する複数の分岐流路と、
前記複数の分岐流路のうちから、開通させる一つの分岐流路を選択可能な開閉手段と、
を備え、
前記複数の分岐流路は、前記水貯留部または前記洗剤貯留部に連通する請求項１に記載の洗浄装置。
【請求項５】
前記気泡生成手段は、前記吐出側流路に気体を導入する請求項１から請求項４のいずれか一項に記載の洗浄装置。
【請求項６】
前記気泡生成手段は、前記吸込側流路に気体を導入する請求項１から請求項４のいずれか一項に記載の洗浄装置。
【請求項７】
前記水貯留部の最下部が前記泡沫貯留部の最下部よりも高い位置にあり、
前記水貯留部の最上部が前記泡沫貯留部の最上部よりも高い位置にある請求項１から請求項６のいずれか一項に記載の洗浄装置。
【請求項８】
前記水貯留部内の水位を検出する水位センサを備え、
前記水流ポンプが停止しているときに、前記泡沫貯留部内の水位が前記水貯留部内の水位と同じになる請求項１から請求項７のいずれか一項に記載の洗浄装置。
【発明の詳細な説明】
【技術分野】
【０００１】
本発明は、洗浄装置に関する。
【背景技術】
【０００２】
下記特許文献１に洗浄装置が開示されている。この洗浄装置は、洗剤水を貯留可能な貯留部と、貯留部の内部の洗剤水の中に気泡を発生させる気泡発生手段と、貯留部の内部で生成した泡沫を吐出する吐出部とを備える。
【先行技術文献】
【特許文献】
【０００３】
【特許文献１】特開２０１８−９４３９３号公報
【発明の概要】
【発明が解決しようとする課題】
【０００４】
泡沫を吐出する洗浄装置を、例えばキッチンに設置したり、あるいは食器洗浄機に内蔵したりすることが考えられる。そのような場合、洗浄装置の配置スペースに限りがあるため、洗浄装置の小型化が求められるという課題がある。
【０００５】
本発明は、上述のような課題を解決するためになされたもので、小型化に有利な洗浄装置を提供することを目的とする。
【課題を解決するための手段】
【０００６】
本発明に係る洗浄装置は、泡沫貯留部と、水流ポンプと、水流ポンプの吸込口と泡沫貯留部とを接続する吸込側流路と、水流ポンプの吐出口と泡沫貯留部とを接続する吐出側流路とを有する循環流路と、泡沫貯留部に供給するための水を貯留する水貯留部と、泡沫貯留部に供給するための洗剤を貯留する洗剤貯留部と、水貯留部から供給された水と洗剤貯留部から供給された洗剤とが混合した洗剤水に気体を混合することにより気泡を生成する気泡生成手段と、泡沫貯留部内に溜まった泡沫を外部へ吐出する吐出部と、を備え、洗剤貯留部と水貯留部との少なくとも一方が吸込側流路に接続されているものである。
【発明の効果】
【０００７】
本発明によれば、洗剤貯留部と水貯留部との少なくとも一方が吸込側流路に接続されていることにより、小型化に有利な洗浄装置を提供することが可能となる。
【図面の簡単な説明】
【０００８】
【図１】実施の形態１による洗浄装置を示す図である。
【図２】実施の形態１の洗浄装置を用いた洗浄動作の例を示すフローチャートである。
【図３】実施の形態２による洗浄装置を示す図である。
【図４】実施の形態２の洗浄装置を用いた洗浄動作の例を示すフローチャートである。
【図５】実施の形態３による洗浄装置を示す図である。
【図６】実施の形態４による洗浄装置を示す図である。
【図７】実施の形態５による洗浄装置を示す図である。
【図８】実施の形態６による食器洗浄機を示す図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１による洗浄装置１Ａを示す図である。本実施の形態１の洗浄装置１Ａは、対象物を洗浄するための泡沫を生成できる。本明細書において、泡沫とは、気泡が多数集まることで形成されるクリーム状の泡を意味する。すなわち、泡沫とは、フォーム（ｆｏａｍ）を意味する。以下の説明では、例えば界面活性剤のような洗剤が混合された水を「洗剤水」と称する。また、洗浄装置１Ａにより洗浄される対象物を「被洗浄物」と称する。被洗浄物は、例えば、食器、調理具等でもよい。
【００１１】
図１に示すように、本実施の形態の洗浄装置１Ａは、洗剤貯留部２と、泡沫貯留部３と、気泡生成装置４と、循環流路６と、水流ポンプ７と、吐出部１０と、水貯留部２０とを備える。洗浄装置１Ａは、洗剤水から泡沫を生成する。洗浄装置１Ａは、例えばキッチンに設置され、キッチンシンク内に泡沫を供給可能とされてもよい。また、洗浄装置１Ａは、例えば食器洗浄機に設けられ、食器洗浄機の洗浄槽内に泡沫を供給可能とされてもよい。
【００１２】
泡沫貯留部３は、洗剤水及び泡沫を貯留可能な内部空間を有する。泡沫貯留部３の内部空間に貯留された洗剤水の水面９５の上に、泡沫が生成される。本実施の形態における泡沫貯留部３は、鉛直方向を長手方向とする筒状の容器である。図１は、泡沫貯留部３を模式的な断面図として表している。泡沫貯留部３の少なくとも一部が透明な材料で形成され、その透明部分を通して泡沫貯留部３の内部を外側から目視できるように構成されていてもよい。洗浄装置１Ａは、後述する弁類及びポンプ類等の動作を制御する制御装置５０をさらに備える。
【００１３】
循環流路６は、泡沫貯留部３の外部に設けられている。循環流路６は、吸込側流路６ａ及び吐出側流路６ｂを有する。吸込側流路６ａは、水流ポンプ７の吸込口と泡沫貯留部３とを接続する。吐出側流路６ｂは、水流ポンプ７の吐出口と泡沫貯留部３とを接続する。図示の例では、吸込側流路６ａ及び吐出側流路６ｂは、泡沫貯留部３の底部に接続されている。変形例として、吸込側流路６ａ及び吐出側流路６ｂが泡沫貯留部３の側面に対して接続されていてもよい。
【００１４】
気泡生成装置４は、泡沫貯留部３内の洗剤水に気体を混合することにより気泡を生成する。この気体は、例えば空気である。本実施の形態における気泡生成装置４は、吐出側流路６ｂに配置されている。図示の例では泡沫貯留部３と吐出側流路６ｂとの接続部分に気泡生成装置４が配置されている。変形例として、吐出側流路６ｂの途中の位置に気泡生成装置４が配置されていてもよい。
【００１５】
水流ポンプ７が運転されると、次のように洗剤水が循環流路６を流れる。泡沫貯留部３内の洗剤水は、吸込側流路６ａに吸い込まれ、水流ポンプ７に達する。水流ポンプ７を通過した洗剤水は、吐出側流路６ｂを流れ、気泡生成装置４を通って、泡沫貯留部３内へ戻る。このようにして泡沫貯留部３内の洗剤水が循環流路６を循環する。
【００１６】
気泡生成装置４は、外部から気体を吸い込むための吸気通路４ａを有する。気泡生成装置４は、吸気通路４ａから吸入される気体を洗剤水に混合することで気泡を発生させる。吸気通路４ａに弁１２が設けられている。弁１２の開度を調整することにより吸気量を制御することができる。弁１２を全閉にした状態で水流ポンプ７を運転してもよい。その場合には気泡が発生することなく泡沫貯留部３内の水が循環流路６を循環する。
【００１７】
本実施の形態における気泡生成装置４は、以下のような構造を有するエジェクタ（図示省略）を備えていてもよい。エジェクタは、洗剤水の流路を縮径させる縮径部を有する。洗剤水が縮径部を通過するときに負圧が発生する。縮径部に発生する負圧により、吸気通路４ａから気体を自然吸気できる。当該縮径部において、洗剤水の流れに対して垂直な方向から、吸気通路４ａを通過した気体が混合される。縮径部の下流側には、流路を拡径させる拡径部が形成されている。導入された気体は、縮径部で圧縮された後、拡径部にて減圧される。その結果、溶解した気体が再気泡化されて微細な気泡が生成される。縮径部の上流側の位置には、縮径部に流入する水流を旋回させる固定翼が備えられていてもよい。固定翼は、例えば、流路の軸線を中心とする旋回流を形成する。固定翼により形成される洗剤水の旋回流が気泡をせん断して微細化することで、微細な気泡を生成できる。
【００１８】
水流ポンプ７は、例えば、６Ｌ／ｍｉｎ以上の循環流量を得ることのできる出力を有することが望ましい。これにより、気泡生成装置４の縮径部に発生する負圧を十分に大きくすることができ、微細気泡を生成するための吸気量を十分に確保できる。
【００１９】
ただし、本開示において、吸気通路４ａから吸気する方法は、自然吸気に限定されない。変形例として、エアポンプ（図示せず）を用いて強制的に空気を気泡生成装置４へ供給してもよい。
【００２０】
本実施の形態における気泡生成装置４は、洗剤水に気体を混合することにより気泡を生成する気泡生成手段の例である。本実施の形態における気泡生成装置４は、吐出側流路６ｂに気体を導入することにより気泡を生成する。本実施の形態であれば、気泡生成装置４から泡沫貯留部３までの流路長は比較的短い。このため、気泡生成装置４で発生した気泡が泡沫貯留部３に流入するまでの間に消泡したり合泡したりすることを抑制する上でより有利になる。合泡とは、気泡同士が合体することによって泡径が粗大化することである。
【００２１】
洗剤貯留部２は、泡沫貯留部３に供給するための洗剤を貯留する。洗剤貯留部２は、洗剤通路５により、吸込側流路６ａに接続されている。弁１４は、洗剤通路５を開閉する。弁１４が開くと、洗剤貯留部２から洗剤が洗剤通路５を通って吸込側流路６ａに流入可能となる。弁１４の開度が調整可能になっていてもよい。
【００２２】
水貯留部２０は、泡沫貯留部３に供給するための水を貯留する。本実施の形態における水貯留部２０は、鉛直方向を長手方向とする筒状の容器である。本実施の形態では、水貯留部２０は、上水導入部８から供給される上水を貯留する。上水導入部８は、上水が通る通路である。上水導入部８の上流側は、上水道に接続される。水貯留部２０の上部に上水導入部８が接続されている。弁１１は、上水導入部８の通路を開閉する。弁１１が開くと上水導入部８から上水が水貯留部２０に流入する。弁１１が閉じると上水導入部８から水貯留部２０への上水の流入が停止する。
【００２３】
給水路２１は、水貯留部２０の底部と、吸込側流路６ａとの間を接続している。水貯留部２０内の水は、給水路２１を通って吸込側流路６ａに流入可能である。水貯留部２０から供給された水と、洗剤貯留部２から供給された洗剤とにより、泡沫貯留部３内に洗剤水を生成することができる。
【００２４】
水貯留部２０の内部空間と、泡沫貯留部３の内部空間とは、鉛直方向の位置に関して、少なくとも一部において重なりを有している。図示の例では、水貯留部２０の内部空間の容積は、泡沫貯留部３の内部空間の容積よりも小さい。これにより、洗浄装置１Ａを小型化する上で有利になる。
【００２５】
水貯留部２０に水位センサ２２が設けられている。水位センサ２２は、水貯留部２０内の水位を検出する。すなわち、水位センサ２２は、水貯留部２０内の水面９６の高さを検出する。水位センサ２２は、例えば、フロート式、電極式、静電容量式、差圧式、ガイドパルス式、振動式、超音波式、電波式のうちの少なくとも一つの方式によるものでもよい。
【００２６】
制御装置５０は、水位センサ２２の信号に応じて弁１１を開閉することにより、水貯留部２０内の水位、すなわち水貯留部２０内の水面９６の高さを一定の範囲に保つ機能を有する。例えば、制御装置５０は、水貯留部２０内の水位が所定の下限水位以下になると弁１１を開くことにより上水導入部８から水貯留部２０へ給水し、水貯留部２０内の水位が所定の上限水位を超えると弁１１を閉じることにより上水導入部８からの給水を停止する。
【００２７】
水貯留部２０の側面の上部には、オーバーフロー穴（図示省略）が設けられている。オーバーフロー穴は、上述した上限水位よりも高い位置にある。通常時においては水貯留部２０内の水位は上限水位以下に維持される。しかしながら、何らかの原因により、水貯留部２０内の水位が上限水位を超えて上昇する可能性がある。水貯留部２０内の水位が上限水位を超えて上昇した場合には、水貯留部２０内の水がオーバーフロー穴を通って水貯留部２０外へ排出される。その結果、水貯留部２０内の水位がオーバーフロー穴の位置を超えて上昇することが防止される。これにより、水貯留部２０内の水が上水導入部８へ逆流することを確実に防止できる。また、水貯留部２０の下には、オーバーフロー穴から排出された水を受ける水受けトレイのような水受け部（図示省略）が設けられている。
【００２８】
水貯留部２０は、給水路２１及び吸込側流路６ａを介して、泡沫貯留部３に連通している。このため、水流ポンプ７が停止しているときには、泡沫貯留部３内の水位は、水貯留部２０内の水位と同じになる。すなわち、水流ポンプ７が停止しているときには、泡沫貯留部３内の水面９５の高さは、水貯留部２０内の水面９６の高さと同じになる。よって、本実施の形態であれば、水貯留部２０に設けられた水位センサ２２を用いて、泡沫貯留部３内の水位を検出することが可能となる。これにより、泡沫貯留部３に水位センサを設ける必要がないという利点がある。また、制御装置５０が水貯留部２０内の水位を一定の範囲に保つように制御することにより、泡沫貯留部３内の水位すなわち水面９５の高さを一定の範囲に保つように制御することができる。
【００２９】
水流ポンプ７を運転し、気泡生成装置４により泡沫貯留部３内の洗剤水の中に気泡を発生させることで、泡沫貯留部３内の洗剤水の水面９５の上に、泡沫が生成する。このようにして泡沫を生成する動作を以下「泡沫生成動作」と称する。泡沫生成動作では、以下のようになる。泡沫貯留部３内の洗剤水の液中の気泡は、浮力により、洗剤水の水面９５へ向かって浮上する。洗剤水の水面９５の上に浮上した気泡が多数集まることで、泡沫が生成される。泡沫生成動作が継続されることで、泡沫貯留部３内の水面９５の上の空間に泡沫が充満する。このようにして泡沫貯留部３内に泡沫が溜まる。
【００３０】
泡沫生成動作によって泡沫が生成されるにつれて、泡沫貯留部３内の洗剤水が減少し、泡沫貯留部３内の水位すなわち水面９５の位置が低下していくので、洗剤水の補充が必要になる。このため、泡沫生成動作の実行中に、洗剤貯留部２からの洗剤と水貯留部２０からの水とを泡沫貯留部３へ補給する場合がある。
【００３１】
泡沫生成動作の実行中は、水流ポンプ７が運転されているので、吸込側流路６ａの圧力は負圧になる。その一方で、泡沫貯留部３内に溜まった泡沫の圧力により、泡沫貯留部３内の圧力は上昇する場合がある。本実施の形態であれば、洗剤貯留部２及び水貯留部２０が吸込側流路６ａに接続されているので、吸込側流路６ａに発生する負圧により、洗剤貯留部２からの洗剤と水貯留部２０からの水とを吸込側流路６ａへ吸引することができる。このため、泡沫貯留部３内の圧力が上昇した場合であっても、洗剤貯留部２からの洗剤と水貯留部２０からの水とを泡沫貯留部３へ確実に補給することができる。
【００３２】
仮に、洗剤貯留部２が泡沫貯留部３に接続されているとすると、泡沫貯留部３内の圧力が上昇した場合に、洗剤貯留部２からの洗剤が泡沫貯留部３に流入しにくくなる可能性がある。このため、洗剤貯留部２からの洗剤を泡沫貯留部３に送るポンプが必要になる可能性がある。これに対し、本実施の形態であれば、洗剤貯留部２からの洗剤を泡沫貯留部３に送るポンプを必要としないので、洗浄装置１Ａを小型化する上で有利になる。
【００３３】
仮に、水貯留部２０が泡沫貯留部３に接続されているとすると、泡沫貯留部３内の圧力が上昇した場合に、水貯留部２０からの水が泡沫貯留部３に流入しにくくなる可能性がある。このため、水貯留部２０からの水を泡沫貯留部３に送るポンプが必要になる可能性がある。これに対し、本実施の形態であれば、水貯留部２０からの水を泡沫貯留部３に送るポンプを必要としないので、洗浄装置１Ａを小型化する上で有利になる。
【００３４】
本実施の形態であれば、洗剤貯留部２及び水貯留部２０の双方が吸込側流路６ａに接続されており、洗剤を送るポンプと水を送るポンプとの両方が不要であるので、洗浄装置１Ａを小型化する上で特に有利になる。ただし、洗剤貯留部２及び水貯留部２０のうち、いずれか一方のみが吸込側流路６ａに接続され、他方が例えば泡沫貯留部３に接続されていてもよい。その場合においても、一つのポンプが不要となるので、洗浄装置１Ａを小型化する上で有利になる。なお、水流ポンプ７の作動時に吸込側流路６ａに発生する負圧は、水流ポンプ７の吸込口に近いほど、大きくなる。本実施の形態では、給水路２１と吸込側流路６ａとの合流部と、水流ポンプ７の吸込口との間の流路長は、洗剤通路５と吸込側流路６ａとの合流部と、水流ポンプ７の吸込口との間の流路長よりも短い。このため、水流ポンプ７の作動時に、給水路２１に作用する負圧は、洗剤通路５に作用する負圧よりも大きい。水貯留部２０から泡沫貯留部３へ供給すべき水の量は、洗剤貯留部２から泡沫貯留部３へ供給すべき洗剤の量よりも多い。本実施の形態であれば、給水路２１に作用する比較的大きい負圧を用いて水貯留部２０からの水を供給できるので、必要な量の水をより短時間で確実に供給できる。
【００３５】
吐出部１０は、泡沫貯留部３内に溜まった泡沫を洗浄装置１Ａの外部へ吐出するための部位である。泡沫貯留部３の上部に、導管１８が接続されている。導管１８の先端部に吐出部１０が設けられている。吐出部１０は、泡沫を吐出可能な吐出口を有する。導管１８は、泡沫貯留部３内の泡沫を吐出部１０へ送る通路を有する。泡沫貯留部３内の水面９５の上の空間に泡沫が充満した後も泡沫生成動作が継続されることで、泡沫貯留部３内から導管１８を通って吐出部１０まで泡沫が到達し、吐出部１０より泡沫が吐出される。吐出部１０及び導管１８の内部空間は、吐出通路１６に相当する。
【００３６】
本実施の形態であれば、以下の効果が得られる。吐出部１０から吐出した泡沫を、泡沫貯留部３の外部にある被洗浄物に供給することができる。泡沫は、洗剤水によって形成された多数の気泡を含むことで、優れた洗浄能力を有する。被洗浄物は、泡沫貯留部３の外部に配置される。泡沫貯留部３は、被洗浄物を入れないので、容積を小さくできる。泡沫貯留部３の容積が小さいことで、洗剤水の消費量を抑制できる。泡沫貯留部３の容積が小さいことで、泡沫貯留部３での泡沫生成動作の開始から、吐出部１０が泡沫を吐出するまでの時間を短縮できる。
【００３７】
吐出部１０は、泡沫貯留部３に対して、移動可能でもよい。例えば、吐出部１０及び導管１８が、泡沫貯留部３に対して、回転移動可能でもよい。導管１８は、硬質の材料で構成されたものでもよい。または、導管１８は、ホースまたは蛇腹管のような、曲げることのできる部材で構成されていてもよい。導管１８は、長さを伸縮できる構造でもよい。導管１８を曲げることができるようにしたり、導管１８の長さを伸縮できるようにしたりすることで、吐出部１０を被洗浄物の近くに移動できるので、被洗浄物に対して泡沫を容易に供給できる。
【００３８】
吐出部１０の下に被洗浄物を配置することで、吐出部１０から吐出された泡沫を被洗浄物の上部に供給できる。泡沫に含まれる洗浄成分により被洗浄物に付着している汚れを除去できる。被洗浄物の上部に付着した泡沫は、重力により、被洗浄物の下部へ移動する。被洗浄物の表面を泡沫が移動することで、被洗浄物の表面の汚れに対してずり応力、すなわちせん断応力が作用するので、少ない量の泡沫でも当該汚れをより効率良く落とすことが可能となる。
【００３９】
泡沫貯留部３と導管１８との間には、弁１５が設置されている。弁１５は、泡沫貯留部３と導管１８との間の通路を開閉する。弁１５を開閉することで、吐出部１０からの泡沫の吐出を開始及び停止する操作を行うことができる。本実施の形態では、弁１５を開閉するためのハンドル１９が設けられている。使用者がハンドル１９を操作すると弁１５が開閉する。使用者は、ハンドル１９を操作して弁１５を開閉することで、吐出部１０からの泡沫の吐出を、容易に一時停止したり再開したりすることができる。また、制御装置５０が弁１５の開閉を制御してもよい。
【００４０】
排出部９は、泡沫貯留部３内の流体を洗浄装置１Ａの外部へ排出する流路を有する。弁１３は、排出部９の流路を開閉する。弁１３を開くことで、洗浄終了後に泡沫貯留部３内に残存した流体を排出部９を通して外部へ排出することができる。図示の構成では、吐出側流路６ｂの途中に排出部９が接続されている。このような構成に限らず、例えば排出部９が泡沫貯留部３に直接接続されてもよい。排出部９の下流側は、下水管に接続される。
【００４１】
本実施の形態であれば、気泡を含む洗浄液ではなく、クリーム状の泡沫を被洗浄物に付着させることで洗浄を行うことができる。このため、洗剤水の使用量が少ないので、水及び洗剤の消費量を抑制できる。また、例えばガラス製品、めっき製品などのデリケートな被洗浄物を洗浄する際でも、被洗浄物を傷つけることを確実に抑制できる。
【００４２】
気泡生成装置４により生成される気泡の直径は、例えば、１μｍから５０００μｍの範囲にあってもよい。気泡生成装置４は、直径５０μｍ以下の微細気泡を生成可能でもよい。微細気泡を含む泡沫によれば、特に優れた洗浄性能が得られる。気泡生成装置４は、直径５００μｍ以上の気泡を生成可能でもよい。そのような比較的大きい径の気泡を含む泡沫を生成することで、泡沫生成速度を高くすることが可能となる。
【００４３】
本実施の形態の洗浄装置１Ａは、被洗浄物に付着した汚れの種類及び量の少なくとも一方を判別する汚れ判別手段を備える。本実施の形態における汚れ判別手段は、汚れ判別センサ１７を有する。図１に示す例では、汚れ判別センサ１７は、吐出部１０の近くに取り付けられている。汚れ判別センサ１７は、他の位置に配置されてもよい。また、洗浄装置１Ａは、複数の汚れ判別センサ１７を備えてもよい。汚れ判別センサ１７は、被洗浄物に付着した汚れの種類及び量の少なくとも一方を非接触で判別するように構成されていてもよい。
【００４４】
汚れ判別センサ１７は、例えば、固形状の汚れか流動状の汚れかを判別可能でもよい。また、汚れ判別センサ１７は、汚れの成分を判別可能でもよい。例えば、汚れ判別センサ１７は、油分を主成分とする汚れであるか、タンパク質を主成分とする汚れであるか、デンプン質を主成分とする汚れであるかを判別可能でもよい。
【００４５】
例えば、汚れ判別センサ１７がカメラを有し、カメラにより撮影した汚れの画像を制御装置５０が画像処理をして解析することにより、汚れの種類及び量の少なくとも一方を判別してもよい。また、汚れに対して例えば赤外線その他の電磁波を照射する照射部と、汚れの表面で反射した電磁波を受光する受光部とを汚れ判別センサ１７が有し、汚れの表面の反射率によって汚れの種類を判別してもよい。または、汚れの電気伝導率を計測するための電極を汚れ判別センサ１７が有し、汚れの電気伝導率によって汚れの種類を判別してもよい。
【００４６】
制御装置５０は、汚れ判別センサ１７によって判別された汚れの種類及び量の少なくとも一方に応じて、洗浄装置１Ａの動作を制御してもよい。例えば、制御装置５０は、汚れ判別センサ１７によって判別された汚れの種類及び量の少なくとも一方に応じて、吐出部１０からの泡沫の吐出量を調整してもよい。
【００４７】
図２は、実施の形態１の洗浄装置１Ａを用いた洗浄動作の例を示すフローチャートである。以下、図２のフローチャートの各工程について説明する。まず、ステップＳ１において、洗浄装置１Ａが備える例えば洗浄開始ボタンのような操作部（図示省略）を使用者が操作すると、洗浄装置１Ａが起動する。ステップＳ２において、制御装置５０は、弁１１を開くことで上水導入部８から水貯留部２０に上水を供給する。これにより、水貯留部２０内の水位が上昇していく。また、水貯留部２０内の水が給水路２１及び吸込側流路６ａを通って泡沫貯留部３に流入することにより、泡沫貯留部３内の水位も上昇していく。
【００４８】
水位センサ２２により検出された水貯留部２０内の水位が一定水位に到達すると、ステップＳ３において、制御装置５０は、弁１１を閉じることにより上水導入部８からの上水の供給を停止する。この時点で、泡沫貯留部３内の水位は、水流ポンプ７による循環流路６への水の循環が可能な水位になっている。
【００４９】
次に、ステップＳ４において、制御装置５０は、水流ポンプ７の稼働を開始する。水流ポンプ７が稼働すると、ステップＳ５において、吸込側流路６ａに発生する負圧により、洗剤貯留部２からの洗剤と水貯留部２０からの水とが吸込側流路６ａに流入する。吸込側流路６ａに流入した洗剤及び水は、水流ポンプ７及び吐出側流路６ｂを通って泡沫貯留部３内に供給される。その結果、泡沫貯留部３内に洗剤水が生成する。
【００５０】
ステップＳ６において、泡沫貯留部３内の洗剤水が循環流路６及び気泡生成装置４を経由して泡沫貯留部３内に戻るように循環する運転が行われる。この運転により循環する洗剤水が気泡生成装置４を通過するときに気泡が発生し、気泡が泡沫貯留部３内に流入する。ステップＳ７において、泡沫貯留部３内の気泡が水面９５の上に浮上することにより、水面９５の上に泡沫が生成される。このようにして泡沫生成動作が継続されることで、泡沫貯留部３内の水面９５の上に泡沫が溜まる。ステップＳ８において、泡沫貯留部３内に溜まった泡沫が、導管１８を通り、吐出部１０の吐出口から吐出される。ステップＳ９として、吐出部１０から吐出された泡沫が被洗浄物を覆うことにより、被洗浄物が洗浄される。
【００５１】
洗剤貯留部２から洗剤を連続的に吸込側流路６ａに流入させてもよいし、洗剤貯留部２から洗剤を間欠的に吸込側流路６ａに流入させてもよい。制御装置５０が弁１４の開閉動作を制御し、洗剤貯留部２から洗剤を間欠的に供給することにより、洗剤の供給量を制御することができる。また、洗剤貯留部２から洗剤を連続的に供給する場合には、制御装置５０は、弁１４の開度を調整することによって洗剤貯留部２からの洗剤の供給量を制御してもよい。
【００５２】
泡沫生成動作の実行中、水貯留部２０に溜まっている水は、水流ポンプ７によって吸込側流路６ａに発生する負圧により、泡沫貯留部３に連続的に給水される。水貯留部２０内の水が減少して水位が低下したことを水位センサ２２が検出すると、制御装置５０は、弁１１を開いて上水導入部８から水貯留部２０に上水を供給する。水貯留部２０内の水位が回復すると、制御装置５０は、弁１１を閉じて上水導入部８からの上水の供給を停止する。
【００５３】
図１に示すように、本実施の形態において、水貯留部２０の最下部は、泡沫貯留部３の最下部よりも高い位置にある。例えば、水貯留部２０の内部空間の最も低い位置は、泡沫貯留部３の内部空間の最も低い位置よりも高い位置にある。水貯留部２０内の水は、高低差により給水路２１及び吸込側流路６ａを通って泡沫貯留部３内に流入可能である。本実施の形態であれば、水貯留部２０の最下部が泡沫貯留部３の最下部よりも高い位置にあるので、水貯留部２０内に水があるときには泡沫貯留部３内にも必ず水があるようにすることが可能となる。
【００５４】
また、本実施の形態において、水貯留部２０の最上部は、泡沫貯留部３の最上部よりも高い位置にある。例えば、水貯留部２０の内部空間の最も高い位置は、泡沫貯留部３の内部空間の最も高い位置よりも高い位置にある。前述したように、泡沫生成動作の実行中に、泡沫貯留部３内に溜まった泡沫の圧力により、泡沫貯留部３内の圧力が上昇する場合がある。その場合、水貯留部２０内の水面９６の高さは、泡沫貯留部３内の水面９５の高さよりも高くなる。本実施の形態であれば、水貯留部２０の最上部が泡沫貯留部３の最上部よりも高い位置にあるので、水貯留部２０内の水面９６の高さが泡沫貯留部３内の水面９５の高さよりも高くなったときでも、水貯留部２０内の水が溢れることをより確実に防止できる。
【００５５】
本開示における気泡生成手段は、気泡生成装置４のような構成に限定されるものではない。例えば、気泡生成手段は、泡沫貯留部３の内部に配置された多孔質体と、エアポンプとを備え、エアポンプから送られた気体を、多孔質体の多数の微細な孔から洗剤水の中に気体を放出することで気泡を生成するものでもよい。多孔質体の材質は、例えば、金属メッシュ、セラミックス、樹脂材料などでもよい。また、気泡生成手段は、洗剤水に超音波を照射する超音波照射手段を備えるものでもよい。例えば、２０ｋＨｚから数ＭＨｚの周波数範囲の超音波を超音波照射手段から洗剤水に照射することで、気泡、特に微細な気泡を発生することが可能である。また、気泡生成手段は、モータにより駆動される撹拌器を備え、泡沫貯留部３の内の洗剤水を当該攪拌器で攪拌することで気泡を生成するものでもよい。
【００５６】
洗浄装置１Ａが備える制御装置５０は、以下のように構成されてもよい。制御装置５０の各機能は、処理回路により実現されてもよい。制御装置５０の処理回路は、少なくとも１つのプロセッサと少なくとも１つのメモリとを備えてもよい。少なくとも１つのプロセッサは、少なくとも１つのメモリに記憶されたプログラムを読み出して実行することにより、制御装置５０の各機能を実現してもよい。制御装置５０の処理回路は、少なくとも１つの専用のハードウェアを備えてもよい。制御装置５０の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置５０の各機能を実現しても良い。単一の制御装置５０により動作が制御される構成に限定されるものではなく、複数の制御装置が連携することで動作を制御する構成にしてもよい。
【００５７】
実施の形態２．
次に、図３及び図４を参照して、実施の形態２について説明するが、前述した実施の形態との相違点を中心に説明し、前述した要素と共通または対応する要素には、同一の符号を付して、重複する説明を簡略化または省略する。図３は、実施の形態２による洗浄装置１Ｂを示す図である。
【００５８】
図３に示すように、本実施の形態の洗浄装置１Ｂは、吸込側流路６ａから分岐する分岐流路５ａ、分岐流路５ｂ、及び分岐流路５ｃを備える。本実施の形態では、分岐流路５ａ，５ｂ，５ｃの３本が設けられているが、分岐流路の本数は２本でもよいし４本以上でもよい。複数の分岐流路５ａ，５ｂ，５ｃの各々は、洗剤通路５を介して洗剤貯留部２に連通している。弁１４は、分岐流路５ａを開閉する。弁２３は、分岐流路５ｂを開閉する。弁２４は、分岐流路５ｃを開閉する。
【００５９】
制御装置５０は、洗剤貯留部２から洗剤を泡沫貯留部３に供給するときには、弁１４、弁２３、及び弁２４のうちのいずれか一つを開いて他の二つを閉じるように制御する。本実施の形態における弁１４、弁２３、及び弁２４は、複数の分岐流路５ａ，５ｂ，５ｃのうちから、開通させる一つの分岐流路を選択可能な開閉手段に相当する。
【００６０】
弁１４が開いているときには、洗剤貯留部２からの洗剤が分岐流路５ａを通って吸込側流路６ａに合流する。弁２３が開いているときには、洗剤貯留部２からの洗剤が分岐流路５ｂを通って吸込側流路６ａに合流する。弁２４が開いているときには、洗剤貯留部２からの洗剤が分岐流路５ｃを通って吸込側流路６ａに合流する。
【００６１】
分岐流路５ａと吸込側流路６ａとの合流部と、水流ポンプ７の吸込口との間の流路長は、分岐流路５ｂと吸込側流路６ａとの合流部と、水流ポンプ７の吸込口との間の流路長よりも短い。分岐流路５ｂと吸込側流路６ａとの合流部と、水流ポンプ７の吸込口との間の流路長は、分岐流路５ｃと吸込側流路６ａとの合流部と、水流ポンプ７の吸込口との間の流路長よりも短い。
【００６２】
水流ポンプ７の作動時に吸込側流路６ａに発生する負圧は、水流ポンプ７の吸込口に近いほど、大きくなる。このため、分岐流路５ｂに作用する負圧は、分岐流路５ｃに作用する負圧よりも大きい。よって、洗剤が分岐流路５ｂから吸込側流路６ａに供給されるときの供給速度は、洗剤が分岐流路５ｃから吸込側流路６ａに供給されるときの供給速度よりも高くなる。また、分岐流路５ａに作用する負圧は、分岐流路５ｂに作用する負圧よりも大きい。よって、洗剤が分岐流路５ａから吸込側流路６ａに供給されるときの供給速度は、洗剤が分岐流路５ｂから吸込側流路６ａに供給されるときの供給速度よりも高くなる。したがって、本実施の形態であれば、制御装置５０が弁１４、弁２３、及び弁２４のうちのいずれの弁を開くかに応じて、洗剤の供給速度を調整することが可能となる。
【００６３】
図４は、実施の形態２の洗浄装置１Ｂを用いた洗浄動作の例を示すフローチャートである。以下、本実施の形態による洗浄動作の工程について説明するが、前述した図２のフローチャートと同様の工程については同じ符号を付して説明を省略する。図４のフローチャートは、図２のフローチャートと比べて、ステップＳ３とステップＳ４との間にステップＳ１０及びステップＳ１１が挿入されていること以外は同じである。
【００６４】
図４のステップＳ３で上水導入部８からの上水の供給を停止した後、ステップＳ１０において、制御装置５０は、被洗浄物に付着している汚れの種類及び量の少なくとも一方を汚れ判別センサ１７により判別する。次いで、ステップＳ１１において、制御装置５０は、判別された汚れの種類及び量の少なくとも一方に応じて、弁１４、弁２３、及び弁２４のうちのいずれの弁を開く。その後、ステップＳ４において、制御装置５０は、水流ポンプ７の稼働を開始する。
【００６５】
ステップＳ１１において、制御装置５０は、判別された汚れの種類及び量の少なくとも一方に応じた洗剤供給速度となるように、弁１４、弁２３、及び弁２４のうちのいずれの弁を開くかを決定する。例えば、以下のようにしてもよい。油分を主成分とする汚れであると判別された場合には、泡沫に含有される洗剤の量を多くすることが望ましいため、弁１４を開くことにより、洗剤供給速度を高くする。デンプン質を主成分とする汚れであると判別された場合には、泡沫に含有される洗剤の量は少なくてもよいので、弁２４を開くことにより、洗剤供給速度を低くする。汚れの量が少ないと判別された場合には、泡沫に含有される洗剤の量は少なくてもよいので、弁２４を開くことにより、洗剤供給速度を低くする。汚れの量が多いと判別された場合には、泡沫に含有される洗剤の量を多くすることが望ましいため、弁１４を開くことにより、洗剤供給速度を高くする。汚れの量が中程度と判別された場合には、弁２３を開くことにより、洗剤供給速度を中程度にする。
【００６６】
本実施の形態における分岐流路５ａ，５ｂ，５ｃ、弁１４、弁２３、及び弁２４は、洗剤貯留部２から供給される洗剤が吸込側流路６ａに合流する合流部と、水流ポンプ７の吸込口との間の流路長を変更可能な流路長可変手段に相当する。流路長可変手段は、このような構成に限定されるものではない。例えば、流路長可変手段は、洗剤通路５が吸込側流路６ａに合流する合流部の位置を吸込側流路６ａの長手方向に沿ってスライドさせることのできる機構を備えたものでもよい。
【００６７】
実施の形態３．
次に、図５を参照して、実施の形態３について説明するが、前述した実施の形態との相違点を中心に説明し、前述した要素と共通または対応する要素には、同一の符号を付して、重複する説明を簡略化または省略する。図５は、実施の形態３による洗浄装置１Ｃを示す図である。
【００６８】
図５に示すように、本実施の形態の洗浄装置１Ｃは、吸込側流路６ａから分岐する分岐流路２１ａ、分岐流路２１ｂ、及び分岐流路２１ｃを備える。本実施の形態では、分岐流路２１ａ，２１ｂ，２１ｃの３本が設けられているが、分岐流路の本数は２本でもよいし４本以上でもよい。複数の分岐流路２１ａ，２１ｂ，２１ｃの各々は、給水路２１を介して水貯留部２０に連通している。弁３１は、分岐流路２１ａを開閉する。弁３２は、分岐流路２１ｂを開閉する。弁３３は、分岐流路２１ｃを開閉する。
【００６９】
制御装置５０は、水貯留部２０から水を泡沫貯留部３に供給するときには、弁３１、弁３２、及び弁３３のうちのいずれか一つを開いて他の二つを閉じるように制御する。本実施の形態における弁３１、弁３２、及び弁３３は、複数の分岐流路２１ａ，２１ｂ，２１ｃのうちから、開通させる一つの分岐流路を選択可能な開閉手段に相当する。
【００７０】
弁３１が開いているときには、水貯留部２０からの水が分岐流路２１ａを通って吸込側流路６ａに合流する。弁３２が開いているときには、水貯留部２０からの水が分岐流路２１ｂを通って吸込側流路６ａに合流する。弁３３が開いているときには、水貯留部２０からの水が分岐流路２１ｃを通って吸込側流路６ａに合流する。
【００７１】
分岐流路２１ａと吸込側流路６ａとの合流部と、水流ポンプ７の吸込口との間の流路長は、分岐流路２１ｂと吸込側流路６ａとの合流部と、水流ポンプ７の吸込口との間の流路長よりも短い。分岐流路２１ｂと吸込側流路６ａとの合流部と、水流ポンプ７の吸込口との間の流路長は、分岐流路２１ｃと吸込側流路６ａとの合流部と、水流ポンプ７の吸込口との間の流路長よりも短い。
【００７２】
水流ポンプ７の作動時に吸込側流路６ａに発生する負圧は、水流ポンプ７の吸込口に近いほど、大きくなる。このため、分岐流路２１ｂに作用する負圧は、分岐流路２１ｃに作用する負圧よりも大きい。よって、水が分岐流路２１ｂから吸込側流路６ａに供給されるときの供給速度は、水が分岐流路２１ｃから吸込側流路６ａに供給されるときの供給速度よりも高くなる。また、分岐流路２１ａに作用する負圧は、分岐流路２１ｂに作用する負圧よりも大きい。よって、水が分岐流路２１ａから吸込側流路６ａに供給されるときの供給速度は、水が分岐流路２１ｂから吸込側流路６ａに供給されるときの供給速度よりも高くなる。したがって、本実施の形態であれば、制御装置５０が弁３１、弁３２、及び弁３３のうちのいずれの弁を開くかに応じて、水の供給速度を調整することが可能となる。
【００７３】
制御装置５０は、汚れ判別センサ１７により判別された汚れの種類及び量の少なくとも一方に応じた水供給速度となるように、弁３１、弁３２、及び弁３３のうちのいずれの弁を開くかを決定してもよい。
【００７４】
本実施の形態における分岐流路２１ａ，２１ｂ，２１ｃ、弁３１、弁３２、及び弁３３は、水貯留部２０から供給される水が吸込側流路６ａに合流する合流部と、水流ポンプ７の吸込口との間の流路長を変更可能な流路長可変手段に相当する。流路長可変手段は、このような構成に限定されるものではない。例えば、流路長可変手段は、給水路２１が吸込側流路６ａに合流する合流部の位置を吸込側流路６ａの長手方向に沿ってスライドさせることのできる機構を備えたものでもよい。
【００７５】
実施の形態４．
次に、図６を参照して、実施の形態４について説明するが、前述した実施の形態との相違点を中心に説明し、前述した要素と共通または対応する要素には、同一の符号を付して、重複する説明を簡略化または省略する。図６は、実施の形態４による洗浄装置１Ｄを示す図である。
【００７６】
図６に示す本実施の形態の洗浄装置１Ｄは、実施の形態１の洗浄装置１Ａと比べて、気泡生成装置４及び弁１２に代えて、吸気弁３４及び吸気通路３５を備える点が異なる。吸気通路３５は、吸込側流路６ａから分岐している。吸気弁３４は、吸気通路３５を開閉する。制御装置５０は、水流ポンプ７を運転して泡沫生成動作を行うときには吸気弁３４を開く。吸気弁３４を開くと、吸込側流路６ａに発生する負圧によって気体が吸気通路３５から吸込側流路６ａに吸い込まれる。当該気体は、水流ポンプ７及び吐出側流路６ｂを通って泡沫貯留部３に流入する。本実施の形態では、このようにして吸気通路３５から吸込側流路６ａへ導入される気体によって気泡を発生させる。吸気弁３４及び吸気通路３５は、気泡生成手段に相当する。制御装置５０は、泡沫生成動作を行わないときには吸気弁３４を閉じる。吸気弁３４を閉じることで、水流ポンプ７の非作動時に吸込側流路６ａ内の液体が吸気通路３５へ流出することが防止される。
【００７７】
本実施の形態であれば、水流ポンプ７の作動時に吸込側流路６ａに発生する負圧によって気体を吸い込み、その気体を洗剤水に混合することで気泡を生成することができる。このため、例えば実施の形態１で説明した気泡生成装置４が備えるエジェクタの縮径部のような、負圧を発生させるための構造が不要となる。その結果、気泡生成手段の構成を簡素化できるという利点がある。なお、本実施の形態において、吐出側流路６ｂに、気泡を微細化するための羽根または固定翼のような機構が設けられていてもよい。
【００７８】
実施の形態５．
次に、図７を参照して、実施の形態５について説明するが、前述した実施の形態との相違点を中心に説明し、前述した要素と共通または対応する要素には、同一の符号を付して、重複する説明を簡略化または省略する。図７は、実施の形態５による洗浄装置１Ｅを示す図である。
【００７９】
図７に示すように、本実施の形態５の洗浄装置１Ｅは、被洗浄物を収容可能なシンク２５を備える。シンク２５は、キッチンシンクでもよい。洗浄装置１Ｅは、吐出部１０から吐出される泡沫をシンク２５内に供給可能である。シンク２５の底部には排水口２６が設けられている。排水口２６は、排出部９を介して、下水に接続されている。
【００８０】
本実施の形態では、洗浄装置１Ｅが泡沫生成動作を行うことで、シンク２５内にある被洗浄物に対して、吐出部１０から泡沫を吐出し、被洗浄物を洗浄できる。本実施の形態であれば、シンク２５内の被洗浄物を効率良く洗浄することが可能となる。
【００８１】
シンク２５は、被洗浄物を収容する空間を形成する内壁面２５ａと、内壁面２５ａの上端から水平方向に延びる上面２５ｂとを有する。洗浄装置１Ｅの構成機器のうち、洗剤貯留部２、泡沫貯留部３、気泡生成装置４、循環流路６、水流ポンプ７、及び水貯留部２０等は、内壁面２５ａ及び上面２５ｂによって囲まれる空間に配置されている。本実施の形態であれば、洗剤貯留部２から泡沫貯留部３へ洗剤を送るポンプと、水貯留部２０から泡沫貯留部３へ水を送るポンプとが不要であることで小型化が図れるので、内壁面２５ａ及び上面２５ｂによって囲まれた、限られた空間内に上記の機器を配置する上で有利になる。
【００８２】
実施の形態６．
次に、図８を参照して、実施の形態６について説明するが、上述した実施の形態との相違点を中心に説明し、同一部分または相当部分については説明を簡略化または省略する。図８は、実施の形態６による食器洗浄機２７を示す図である。図８に示す食器洗浄機２７は、被洗浄物である食器９０を収容可能な空間を有する洗浄槽２８と、実施の形態１の洗浄装置１Ａに類似した洗浄装置１Ｆとを備える。
【００８３】
図８に示すように、洗浄装置１Ｆは、実施の形態１における吐出部１０に代えて吐出部２９を備える。吐出部２９は、水平方向に延びる細長い管状の部材であり、その管壁には、泡沫を吐出可能な複数の孔が形成されている。接続部３６は、泡沫貯留部３の上部と吐出部２９との間を接続する。排出部３７は、洗浄槽２８内の流体を排出するための通路を有する。排出部３７は、洗浄槽２８内の底部と、排出部９との間を接続する。
【００８４】
本実施の形態の食器洗浄機２７は、吐出部２９の少なくとも一部を接続部３６の内部へ引き込むことのできる機構を備えていてもよい。すなわち、吐出部２９が図８中で左方向へ移動することでその少なくとも一部が接続部３６内に収納可能になっていてもよい。吐出部２９の少なくとも一部を接続部３６に収納した状態にすることで、食器９０を洗浄槽２８に入れたり食器９０を洗浄槽２８から出したりする作業のときに、吐出部２９が邪魔にならないようにできる。吐出部２９を接続部３６に対して自動的に出し入れするアクチュエータ（図示せず）が備えられてもよい。
【符号の説明】
【００８５】
１Ａ，１Ｂ，１Ｃ，１Ｄ，１Ｅ，１Ｆ  洗浄装置
２  洗剤貯留部
３  泡沫貯留部
４  気泡生成装置
４ａ  吸気通路
５  洗剤通路
５ａ，５ｂ，５ｃ  分岐流路
６  循環流路
６ａ  吸込側流路
６ｂ  吐出側流路
７  水流ポンプ
８  上水導入部
９  排出部
１０  吐出部
１１，１２，１３，１４，１５  弁
１６  吐出通路
１７  汚れ判別センサ
１８  導管
１９  ハンドル
２０  水貯留部
２１  給水路
２１ａ，２１ｂ，２１ｃ  分岐流路
２２  水位センサ
２３，２４  弁
２５  シンク
２５ａ  内壁面
２５ｂ  上面
２６  排水口
２７  食器洗浄機
２８  洗浄槽
２９  吐出部
３１，３２，３３  弁
３４  吸気弁
３５  吸気通路
３６  接続部
３７  排出部
５０  制御装置
９０  食器
９５，９６  水面
【図１】
2020065643.tif 000003
【図２】
2020065643.tif 000004
【図３】
2020065643.tif 000005
【図４】
2020065643.tif 000006
【図５】
2020065643.tif 000007
【図６】
2020065643.tif 000008
【図７】
2020065643.tif 000009
【図８】
2020065643.tif 000010